(57)【要約】【課題】電子マニュアル作成に際して作成に要する時間を短縮する。【解決手段】時刻信号を作成する時刻計測手段１０１、ＧＵＩの画面イメージに対するマニュアル作成者の操作を示す操作信号を作成する操作制御手段１０４、時刻信号に基づく第１の時刻と共にＧＵＩの画面イメージを一時的に保存し、操作信号に基づき更新されたＧＵＩの画面イメージと共に第２の時刻を一時的に保存するメモリ１０３、第１の時刻とその際のＧＵＩの画面イメージと、第２の時刻とその際のＧＵＩの画面イメージとを関連づけて映像ログとして取得する映像ログ取得手段１０５、操作信号と第２の時刻とを関連づけてデジタルデータに変換して操作ログとして取得する操作ログ取得手段１０７、映像ログと操作ログとを取得して、第１の時刻と第２の時刻とに基づいて電子マニュアルを作成する電子マニュアル作成手段１０９を備えた。【選択図】図２
2014010735.tif 000002
【特許請求の範囲】
【請求項１】
所定プログラムのＧＵＩに対する電子マニュアルを作成する電子マニュアル作成装置において、
一定期間毎に時刻信号を作成する第１の時刻計測手段、
前記ＧＵＩの画面イメージに対するマニュアル作成者の操作を示す操作信号を作成する操作制御手段、
前記第１の時刻計測手段により作成された時刻信号に基づく第１の時刻と共に当該第１の時刻における前記ＧＵＩの画面イメージを一時的に保存し、更に、前記操作制御手段により作成された操作信号に基づき更新された前記ＧＵＩの画面イメージと共に当該ＧＵＩの画面イメージが更新された第２の時刻を一時的に保存するメモリ、
前記メモリに一時的に保存されている前記第１の時刻と当該第１の時刻における前記ＧＵＩの画面イメージと、前記第２の時刻と当該第２の時刻に更新された前記ＧＵＩの画面イメージと、を関連づけて映像ログとして取得する映像ログ取得手段、
前記操作制御手段により作成された操作信号と、前記第２の時刻とを関連づけてデジタルデータに変換して操作ログとして取得する操作ログ取得手段、
前記映像ログ取得手段により取得された映像ログと、前記操作ログ取得手段により取得された操作ログとを取得して、前記第１の時刻と前記前記第２の時刻とに基づいて電子マニュアルを作成する電子マニュアル作成手段
を備えたことを特徴とする電子マニュアル作成装置。
【請求項２】
前記電子マニュアル作成手段により作成された電子マニュアルを編集する電子マニュアル編集手段を備えた
ことを特徴とする請求項１記載の電子マニュアル作成装置。
【請求項３】
前記電子マニュアル作成手段により作成された電子マニュアル、または前記電子マニュアル編集手段により編集された電子マニュアルを記録媒体に出力する電子マニュアル出力手段を備えた
ことを特徴とする請求項１または請求項２記載の電子マニュアル作成装置。
【請求項４】
前記電子マニュアル作成手段により作成された電子マニュアル、または前記電子マニュアル編集手段により編集された電子マニュアルをネットワークを介して配信する第１の通信制御手段を備えた
ことを特徴とする請求項１または請求項２記載の電子マニュアル作成装置。
【請求項５】
所定プログラムのＧＵＩに対して作成され、当該ＧＵＩの画面イメージに対する操作を示す操作信号が作成された時刻が記録された電子マニュアルを閲覧する電子マニュアル閲覧装置において、
一定期間毎に時刻信号を作成する第２の時刻計測手段、
前記第２の時刻計測手段により作成された時刻信号に基づいて、前記操作信号が作成された時間間隔で、取得した前記電子マニュアルを画面イメージに変換する電子マニュアル再生手段
を備えたことを特徴とする電子マニュアル閲覧装置。
【請求項６】
前記電子マニュアル再生手段は、記録媒体から前記電子マニュアルを取得する
ことを特徴とする請求項５記載の電子マニュアル閲覧装置。
【請求項７】
ネットワークを介して配信された前記電子マニュアルを取得する第２の通信制御手段を備え、
前記電子マニュアル再生手段は、前記第２の通信制御手段から前記電子マニュアルを取得する
ことを特徴とする請求項５記載の電子マニュアル閲覧装置。
【請求項８】
電子マニュアル作成装置と電子マニュアル閲覧装置から構成される電子マニュアル作成閲覧システムにおいて、
前記電子マニュアル作成装置は、
所定プログラムのＧＵＩに対する電子マニュアルを作成する電子マニュアル作成装置において、
一定期間毎に時刻信号を作成する第１の時刻計測手段、
前記ＧＵＩの画面イメージに対するマニュアル作成者の操作を示す操作信号を作成する操作制御手段、
前記第１の時刻計測手段により作成された時刻信号に基づく第１の時刻と共に当該第１の時刻における前記ＧＵＩの画面イメージを一時的に保存し、更に、前記操作制御手段により作成された操作信号に基づき更新された前記ＧＵＩの画面イメージと共に前記ＧＵＩの画面イメージが更新された第２の時刻を一時的に保存するメモリ、
前記メモリに一時的に保存されている前記第１の時刻と当該第１の時刻における前記ＧＵＩの画面イメージと、前記第２の時刻と当該第２の時刻に更新された前記ＧＵＩの画面イメージと、を関連づけて映像ログとして取得する映像ログ取得手段、
前記操作制御手段により作成された操作信号と、前記第１の時刻とを関連づけてデジタルデータに変換して操作ログとして取得する操作ログ取得手段、
前記映像ログ取得手段により取得された映像ログと、前記操作ログ取得手段により取得された操作ログとを取得して、前記第１の時刻と前記第２の時刻とに基づいて電子マニュアルを作成する電子マニュアル作成手段を備え
前記電子マニュアル閲覧装置は、
一定期間毎に時刻信号を作成する第２の時刻計測手段、
前記第２の時刻計測手段により作成された時刻信号に基づいて、前記操作信号が作成された時間間隔で、取得した電子マニュアルを画面イメージに変換する電子マニュアル再生手段を備えた
ことを特徴とする電子マニュアル作成閲覧システム。
【発明の詳細な説明】
【技術分野】
【０００１】
この発明は、所定プログラムのＧＵＩに対する電子マニュアルを作成する電子マニュアル作成装置、作成された電子マニュアルを閲覧する電子マニュアル閲覧装置、および、これらを備えた電子マニュアル作成閲覧システムに関するものである。
【背景技術】
【０００２】
従来から、所定プログラムのＧＵＩに対して、自動的に電子マニュアル（操作マニュアル）を作成する電子マニュアル作成装置が知られている（例えば特許文献１参照）。この特許文献１に開示された電子マニュアル作成装置では、電子マニュアルを作成したＧＵＩを持つプログラムから、ＧＵＩの操作の内容と操作の結果であるＧＵＩの画像イメージを自動的に取得し、その取得した内容を基に電子マニュアルを自動的に作成している。
【先行技術文献】
【特許文献】
【０００３】
【特許文献１】特開２００６−２２７７３０号公報
【発明の概要】
【発明が解決しようとする課題】
【０００４】
しかしながら、特許文献１に開示される従来の電子マニュアル作成装置では、ＧＵＩの操作に係るデータである画面の名前、入力項目および入力ボタン名などを、画面イメージから抽出してテキストに変換する必要がある。そのため、変換に時間がかかり、迅速に電子マニュアルを作成できないという課題があった。
【０００５】
この発明は、上記のような課題を解決するためになされたもので、電子マニュアル作成に際して作成に要する時間を短縮できる電子マニュアル作成装置、この電子マニュアル作成装置により作成された電子マニュアルを閲覧する電子マニュアル閲覧装置、および、これらを備えた電子マニュアル作成閲覧システムを提供することを目的としている。
【課題を解決するための手段】
【０００６】
この発明に係る電子マニュアル作成装置は、一定期間毎に時刻信号を作成する第１の時刻計測手段、ＧＵＩの画面イメージに対するマニュアル作成者の操作を示す操作信号を作成する操作制御手段、第１の時刻計測手段により作成された時刻信号に基づく第１の時刻と共に当該第１の時刻におけるＧＵＩの画面イメージを一時的に保存し、更に、操作制御手段により作成された操作信号に基づき更新されたＧＵＩの画面イメージと共に当該ＧＵＩの画面イメージが更新された第２の時刻を一時的に保存するメモリ、メモリに一時的に保存されている第１の時刻と当該第１の時刻におけるＧＵＩの画面イメージと、第２の時刻と当該第２の時刻に更新されたＧＵＩの画面イメージと、を関連づけて映像ログとして取得する映像ログ取得手段、操作制御手段により作成された操作信号と、第２の時刻とを関連づけてデジタルデータに変換して操作ログとして取得する操作ログ取得手段、映像ログ取得手段により取得された映像ログと、操作ログ取得手段により取得された操作ログとを取得して、第１の時刻と第２の時刻とに基づいて電子マニュアルを作成する電子マニュアル作成手段を備えたものである。
【０００７】
また、この発明に係る電子マニュアル閲覧装置は、一定期間毎に時刻信号を作成する第２の時刻計測手段、第２の時刻計測手段により作成された時刻信号に基づいて、操作信号が作成された時間間隔で、取得した電子マニュアルを画面イメージに変換する電子マニュアル再生手段を備えたものである。
【発明の効果】
【０００８】
この発明によれば、ＧＵＩの画面イメージに対するマニュアル作成者の操作を示す操作信号と、当該操作信号に基づきＧＵＩの画面イメージが更新された第２の時刻とを関連づけてデジタルデータに変換して操作ログとして取得するので、電子マニュアル作成に際して作成に要する時間を短縮できる。
【図面の簡単な説明】
【０００９】
【図１】この発明の実施の形態１に係る電子マニュアル作成閲覧システムの構成を示す図である。
【図２】この発明の実施の形態１に係る電子マニュアル作成装置の構成を示す図である。
【図３】この発明の実施の形態１に係る電子マニュアル作成装置の内部処理を示すフローチャートである。
【図４】この発明の実施の形態１に係る電子マニュアル閲覧装置の構成を示す図である。
【図５】この発明の実施の形態１に係る電子マニュアル閲覧装置の内部処理を示すフローチャートである。
【図６】この発明の実施の形態１における電子マニュアルの画面イメージ例を示す図である。
【図７】この発明の実施の形態１における電子マニュアルの時刻経過に伴う画面イメージの作成例を示す図である。
【図８】この発明の実施の形態２に係る電子マニュアル作成装置の構成を示す図である。
【図９】この発明の実施の形態２に係る電子マニュアル閲覧装置の構成を示す図である。
【図１０】この発明の実施の形態３に係る電子マニュアル作成装置の構成を示す図である。
【発明を実施するための形態】
【００１０】
以下、この発明の実施の形態について図面を参照しながら詳細に説明する。
実施の形態１．
図１はこの発明の実施の形態１に係る電子マニュアル作成閲覧システムの構成を示す図である。
電子マニュアル作成閲覧システムは、図１に示すように、所定プログラムのＧＵＩに対する電子マニュアルを作成する電子マニュアル作成装置１と、この電子マニュアル作成装置１により作成された電子マニュアルを閲覧する電子マニュアル閲覧装置２とから構成されている。また、電子マニュアル作成装置１により作成された電子マニュアルは記録媒体３に記録され、電子マニュアル閲覧装置２では当該記録媒体３から電子マニュアルを取得して閲覧する。
【００１１】
まず、電子マニュアル作成装置１の構成について、図２を参照しながら説明する。
電子マニュアル作成装置１は、図２に示すように、時刻計測手段（第１の時刻計測手段）１０１、ＧＵＩ作成手段１０２、メモリ１０３、操作制御手段１０４、映像ログ取得手段１０５、映像ログ記録手段１０６、操作ログ取得手段１０７、操作ログ記録手段１０８、電子マニュアル作成手段１０９、電子マニュアル記録手段１１０および電子マニュアル出力手段１１１から構成されている。
また、電子マニュアル作成装置１には、メモリ１０３に保存されているＧＵＩの画面イメージを取得してマニュアル作成者に表示する表示手段４と、表示手段４に表示されている画面イメージに対するマニュアル作成者の操作を受け付ける操作手段５とが接続されている。
【００１２】
時刻計測手段１０１は、一定期間毎に時刻を示す時刻信号を作成するものである。この時刻計測手段１０１により作成された時刻信号はメモリ１０３および操作ログ取得手段１０７に出力される。
【００１３】
ＧＵＩ作成手段１０２は、電子マニュアルの作成対象であるプログラムのＧＵＩの画面イメージを作成するものである。このＧＵＩ作成手段１０２は、操作制御手段１０４から操作信号を取得することで、当該操作信号が示す指示に従い、ＧＵＩの画面イメージを作成（更新）する。このＧＵＩ作成手段１０２により作成されたＧＵＩの画像イメージはメモリ１０３に出力される。
【００１４】
メモリ１０３は、時刻計測手段１０１からの時刻信号に基づく第１の時刻と共に当該第１の時刻におけるＧＵＩ作成手段１０２からのＧＵＩの画面イメージを一時的に保存し、更に、操作制御手段１０４により作成された操作信号に基づきＧＵＩ作成手段１０２で更新されたＧＵＩの画面イメージと共に当該ＧＵＩの画面イメージが更新された第２の時刻を一時的に保存するものである。このメモリ１０３に保存されているＧＵＩの画面イメージは表示手段４により抽出され、また、第１の時刻と当該第１の時刻におけるＧＵＩの画面イメージと、第２の時刻と当該第２の時刻に更新されたＧＵＩの画面イメージは、映像ログ取得手段１０５により抽出される。
【００１５】
操作制御手段１０４は、表示手段４に表示されている画面イメージに対して操作手段５により受け付けられたマニュアル作成者の操作に基づいて、操作信号を作成するものである。この操作制御手段１０４により作成された操作信号はＧＵＩ作成手段１０２および操作ログ取得手段１０７に出力される。
【００１６】
映像ログ取得手段１０５は、メモリ１０３に一時的に保存されている第１の時刻と当該第１の時刻におけるＧＵＩの画面イメージと、第２の時刻と当該第２の時刻に更新されたＧＵＩの画面イメージと、を関連づけてデジタルデータである動画あるいは静止画からなる映像ログとして取得するものである。この映像ログ取得手段１０５により取得された映像ログは映像ログ記録手段１０６に出力される。
【００１７】
映像ログ記録手段１０６は、映像ログ取得手段１０５からの映像ログを記録するものである。この映像ログ記録手段１０６に記録されている映像ログは電子マニュアル作成手段１０９により抽出される。
【００１８】
操作ログ取得手段１０７は、操作制御手段１０４からの操作信号をその作成したタイミングで取得し、操作信号を画面の名前や、入力項目、入力ボタン名などのデジタルデータ（例えばテキスト）に変換すると共に、時刻計測手段１０１からの時刻信号に基づく操作信号の発生時刻（第２の時刻）をデジタルデータ（例えばテキスト）に変換して、関連づけて操作ログとして取得するものである。この操作ログ取得手段１０７により取得された操作ログは操作ログ記録手段１０８に出力される。
【００１９】
操作ログ記録手段１０８は、操作ログ取得手段１０７からの操作ログを記録するものである。この操作ログ記録手段１０８に記録されている操作ログは電子マニュアル作成手段１０９により抽出される。
【００２０】
電子マニュアル作成手段１０９は、映像ログ記録手段１０６から映像ログを取得し、操作ログ記録手段１０８から操作ログを取得して、第１の時刻と第２の時刻とに基づいて映像ログに操作ログを多重化した電子マニュアルを作成するものである。この電子マニュアル作成手段１０９により作成された電子マニュアルは電子マニュアル記録手段１１０に出力される。
【００２１】
電子マニュアル記録手段１１０は、電子マニュアル作成手段１０９からの電子マニュアルを記録するものである。この電子マニュアル記録手段１１０に記録されている電子マニュアルは電子マニュアル出力手段１１１により抽出される。
【００２２】
電子マニュアル出力手段１１１は、電子マニュアル記録手段１１０から電子マニュアルを取得し、記録媒体３に出力するものである。
【００２３】
次に、上記のように構成された電子マニュアル作成装置１の内部処理について、図３を参照しながら説明する。
電子マニュアル作成装置１の内部処理では、図３に示すように、まず、ＧＵＩ作成手段１０２は、電子マニュアルの作成対象であるプログラムのＧＵＩの画面イメージを作成し、メモリ１０３に一旦保存させる（ステップＳＴ３１）。この際、メモリ１０３は、時刻計測手段１０１からの時刻信号に基づく第１の時刻と共に当該ＧＵＩの画面イメージを保存する。
【００２４】
次いで、表示手段４は、メモリ１０３からＧＵＩの画面イメージを取得してマニュアル作成者に表示する（ステップＳＴ３２）。
次いで、操作手段５は、表示手段４に表示されている画面イメージに対するマニュアル作成者の操作を受け付ける。そして、操作制御手段１０４は、この操作に基づいて、操作信号を作成する（ステップＳＴ３３）。ここで、操作信号は、ＧＵＩに対する操作に係るデータである、操作したい画面の名前、入力項目および入力ボタン名などからなる。
【００２５】
次いで、ＧＵＩ作成手段１０２は、操作制御手段からの操作信号を取得すると、当該操作信号が示す指示に従ってＧＵＩの画面イメージを更新し、メモリ１０３に一旦保存させる（ステップＳＴ３４）。この際、メモリ１０３は、ＧＵＩの画面イメージが更新された第２の時刻と共に当該ＧＵＩの画像イメージを保存する。以後、ステップＳＴ３２〜３４の動作を繰り返すことでＧＵＩの画面イメージに対する操作を行う。
【００２６】
一方、映像ログ取得手段１０５は、メモリ１０３に一時的に保存されている第１の時刻と当該第１の時刻におけるＧＵＩの画面イメージと、第２の時刻と当該第２の時刻に更新されたＧＵＩの画面イメージと、を関連づけてデジタルデータである動画あるいは静止画からなる映像ログとして取得し、映像ログ記録手段１０６に記録させる（ステップＳＴ３５）。
【００２７】
また、操作ログ取得手段１０７は、操作制御手段１０４からの操作信号をその作成したタイミングで取得し、操作信号を画面の名前や、入力項目、入力ボタン名などのデジタルデータ（例えばテキスト）に変換すると共に、時刻計測手段１０１からの時刻信号に基づく操作信号の発生時刻（第２の時刻）をデジタルデータ（例えばテキスト）に変換して、関連づけて操作ログとして取得し、操作ログ記録手段１０８に記録させる（ステップＳＴ３６）。
【００２８】
次いで、電子マニュアル作成手段１０９は、映像ログ記録手段１０６から映像ログを取得し、操作ログ記録手段１０８から操作ログを取得して、第１の時刻と第２の時刻とに基づいて映像ログに操作ログを多重化した電子マニュアルを作成し、電子マニュアル記録手段１１０に記録させる（ステップＳＴ３７）。
【００２９】
次いで、電子マニュアル出力手段１１１は、電子マニュアルを電子マニュアル記録手段１１０から取得し、記録媒体３に記録させる（ステップＳＴ３８）。
【００３０】
次に、電子マニュアル閲覧装置２の構成について、図４を参照しながら説明する。
電子マニュアル閲覧装置２は、図４に示すように、時刻計測手段（第２の時刻計測手段）２０１、電子マニュアル入力手段２０２および電子マニュアル再生手段２０３から構成されている。
また、電子マニュアル閲覧装置２には、電子マニュアル再生手段２０３により変換された画面イメージをマニュアル閲覧者に表示する表示手段６が接続されている。
【００３１】
時刻計測手段２０１は、一定期間毎に時刻を示す時刻信号を作成するものである。この時刻計測手段２０１により作成された時刻信号は電子マニュアル再生手段２０３に出力される。
【００３２】
電子マニュアル入力手段２０２は、記録媒体３から電子マニュアルを取得するものである。この電子マニュアル入力手段２０２により取得された電子マニュアルは電子マニュアル再生手段２０３に出力される。
【００３３】
電子マニュアル再生手段２０３は、電子マニュアル入力手段２０２から電子マニュアルを取得し、時刻計測手段２０１からの時刻信号に基づいて、電子マニュアル作成装置１の操作ログ取得手段１０７が操作信号を取得した時間間隔で電子マニュアルを画面イメージに変換するものである。この電子マニュアル再生手段２０３により変換された画面イメージは表示手段６に出力される。
【００３４】
次に、上記のように構成された電子マニュアル閲覧装置２の内部処理について、図５を参照しながら説明する。
電子マニュアル閲覧装置２の内部処理では、図５に示すように、まず、電子マニュアル入力手段２０２は、記録媒体３から電子マニュアルを取得する（ステップＳＴ５１）。
【００３５】
次いで、電子マニュアル再生手段２０３は、電子マニュアル入力手段２０２から電子マニュアルを取得し、時刻計測手段２０１からの時刻信号に基づいて、電子マニュアル作成装置１の操作ログ取得手段１０７が操作信号を取得した時間間隔で電子マニュアルを画面イメージに変換する（ステップＳＴ５２）。
【００３６】
次いで、表示手段４は、電子マニュアル再生手段２０３からの電子マニュアルの画面イメージをマニュアル閲覧者に表示する（ステップＳＴ５３）。これにより、例えば図６に示すような画面イメージを表示することができる。ここで、図６に示す電子マニュアルの画面イメージでは、表示手段６の電子マニュアル表示領域１０内に、映像ログを表示する映像ログ提示領域１１および操作ログを表示する操作ログ提示領域１２が存在している。
【００３７】
また、図７はこの発明の実施の形態１における時刻経過に伴う画面イメージの作成例である。
図７（ａ）〜（ｃ）に示すように、映像ログ提示領域１１と操作ログ提示領域１２に表示される内容は、電子マニュアル作成装置１の操作ログ取得手段１０７が操作信号を取得した時間間隔で自動的に更新される。なお、映像ログ提示領域１１に表示するのは動画、静止画のいずれでも良い。
【００３８】
以上のように、この実施の形態１によれば、ＧＵＩの画面イメージに対するマニュアル作成者の操作を示す操作信号と、当該操作信号に基づきＧＵＩの画面イメージが更新された第２の時刻とを関連づけてデジタルデータに変換して操作ログとして取得するため、従来技術に比べ電子マニュアル作成に要する時間を短縮できる。
【００３９】
また、電子マニュアル作成装置１が作成した電子マニュアルを記録媒体３に出力する電子マニュアル出力手段１１１を設けたので、従来技術と異なり記録媒体３を介して多数の電子マニュアル閲覧装置２に電子マニュアルを配布できる。
【００４０】
また、電子マニュアル閲覧装置２で表示される電子マニュアルの画面イメージが、電子マニュアル作成装置１の操作ログ取得手段１０７が操作信号を取得した時間間隔で自動的に更新されるため、プログラムのＧＵＩの操作手順を実際の時間経過を体感しながら理解できる。
【００４１】
実施の形態２．
図８はこの発明の実施の形態２に係る電子マニュアル作成装置１の構成を示す図であり、図９は電子マニュアル閲覧装置２の構成を示す図である。図８，９に示す実施の形態２に係る電子マニュアル作成装置１および電子マニュアル閲覧装置２は、図２に示す実施の形態１に係る電子マニュアル作成装置１の電子マニュアル出力手段１１１を通信制御手段（第１の通信制御手段）１１２に変更し、図４に示す実施の形態１に係る電子マニュアル閲覧装置２の電子マニュアル入力手段２０２を通信制御手段（第２の通信制御手段）２０４に変更したものである。その他の構成は同様であり、同一の符号を付してその説明を省略する。
【００４２】
通信制御手段１１２は、電子マニュアル記録手段１１０から電子マニュアルを取得し、ネットワーク７を介して電子マニュアル閲覧装置２に配信するものである。
通信制御手段２０４は、ネットワーク７を介して通信制御手段１１２により配信された電子マニュアルを取得するものである。この通信制御手段２０４により取得された電子マニュアルは電子マニュアル再生手段２０３に出力される。
なお、電子マニュアル再生手段２０３は、電子マニュアルを、電子マニュアル入力手段２０２に代えて電子マニュアルを通信制御手段２０４から取得する。
【００４３】
以上のように、この実施の形態２によれば、電子マニュアル出力手段１１１に代えて通信制御手段１１２を用い、ネットワーク７を介して電子マニュアル閲覧装置２に配信するように構成したので、実施の形態１に対して、遠隔地の電子マニュアル閲覧装置２に速やかに配信することができる。
【００４４】
実施の形態３．
図１０はこの発明の実施の形態３に係る電子マニュアル作成装置１の構成を示す図である。図１０に示す実施の形態３に係る電子マニュアル作成装置１は、図２に示す実施の形態１に係る電子マニュアル作成装置１に電子マニュアル編集手段１１３を追加したものである。その他の構成は同様であり、同一の符号を付してその説明を省略する。
【００４５】
電子マニュアル編集手段１１３は、電子マニュアル記録手段１１０から電子マニュアルを取得して編集するものである。ここで、編集内容としては、電子マニュアル内の映像ログの大きさあるいは品質の変更や、操作ログ内のＧＵＩに対する操作に係るデータ、画面の名前、入力項目および入力ボタン名などの削除あるいは補足事項の追記等などが挙げられる。そして、電子マニュアル編集手段１１３は、編集した電子マニュアルを電子マニュアル記録手段１１０に出力し、記録させる。
【００４６】
以上のように、この実施の形態３によれば、電子マニュアルを編集する電子マニュアル編集手段１１３を設けたので、実施の形態１に対して、マニュアル作成者は、一度作成した電子マニュアルを編集により再利用することができる。
【００４７】
なお、実施の形態３では、図２に示す実施の形態１の構成に電子マニュアル編集手段１１３を追加した場合について示したが、図８に示す実施の形態２の構成に対しても同様に適用可能である。
【００４８】
また、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４９】
１  電子マニュアル作成装置、２  電子マニュアル閲覧装置、３  記録媒体、４  表示手段、５  操作手段、６  表示手段、７  ネットワーク、１０  電子マニュアル表示領域、１１  映像ログ提示領域、１２  操作ログ提示領域、１０１  時刻計測手段（第１の時刻計測手段）、１０２  ＧＵＩ作成手段、１０３  メモリ、１０４  操作制御手段、１０５  映像ログ取得手段、１０６  映像ログ記録手段、１０７  操作ログ取得手段、１０８  操作ログ記録手段、１０９  電子マニュアル作成手段、１１０  電子マニュアル記録手段、１１１  電子マニュアル出力手段、１１２  通信制御手段（第１の通信制御手段）、１１３  電子マニュアル編集手段、２０１  時刻計測手段（第２の時刻計測手段）、２０２  電子マニュアル入力手段、２０３  電子マニュアル再生手段、２０４  通信制御手段（第２の通信制御手段）。
【図１】
2014010735.tif 000003
【図２】
2014010735.tif 000004
【図３】
2014010735.tif 000005
【図４】
2014010735.tif 000006
【図５】
2014010735.tif 000007
【図６】
2014010735.tif 000008
【図７】
2014010735.tif 000009
【図８】
2014010735.tif 000010
【図９】
2014010735.tif 000011
【図１０】
2014010735.tif 000012